【手続補正書】
【提出日】平成18年3月17日(2006.3.17)
【手続補正１】
【補正対象書類名】明細書
【補正対象項目名】特許請求の範囲
【補正方法】変更
【補正の内容】
【特許請求の範囲】
【請求項１】
複数の機能を有するテレビカメラ用レンズであって、
前記複数の機能から選択された機能を動作させる操作部材と、
前記操作手段に動作させる機能を決定する為の機能設定スイッチと、を有し、  前記複数の機能を表示するための表示パネルを有することを特徴とするテレビカメラ用レンズ。
【請求項２】
ズームレンズと、
前記ズームレンズを電動駆動するためのズームスイッチを有し、
前記ズームスイッチの操作量と前記ズームレンズのスピードの関係を決定するパラメータを前記表示パネルに表示して前記機能設定スイッチの操作により選択可能であることを特徴とする請求項１に記載のテレビカメラ用レンズ。
【請求項３】
前記表示パネルは、前記操作部材と前記選択された機能の関係を表示することを特徴とする請求項１に記載のテレビカメラ用レンズ。
【請求項４】
レンズ本体部と前記レンズ本体に着脱自在なドライブユニットで構成され、前記レンズ本体部または前記ドライブユニットに前記表示パネルと前記選択設定スイッチが設けられていることを特徴とする請求項１乃至３のいずれかに記載のテレビカメラ用レンズ。
【請求項５】
前記表示パネルと前記選択設定スイッチが、前記ドライブユニットの上面に設けられていることを特徴とする請求項４に記載のテレビカメラ用レンズ。
【請求項６】
前記表示パネルと前記選択設定スイッチが、前記ドライブユニットのカメラ側の側面に設けられていることを特徴とする請求項４に記載のテレビカメラ用レンズ。
【請求項７】
前記撮影光学系の光路途中に挿入及び退避可能な光学系を内蔵するエクステンダー手段の筐体に、前記表示パネルと前記選択設定スイッチが設けられていることを特徴とする請求項１乃至３のいずれかに記載のテレビカメラ用レンズ。
【請求項８】
前記表示パネルが前記撮影光学系の光路途中に挿入及び退避可能な光学系を内蔵するエクステンダー手段の筐体に設けられ、前記選択スイッチが前記ドライブユニットに設けられていることを特徴とする請求項４に記載のテレビカメラ用レンズ。
【請求項９】
テレビカメラに着脱するためのマウント手段を備え、前記表示パネルと前記選択設定スイッチは該マウント手段の筐体に設けられていることを特徴とする請求項１乃至３のいずれかに記載のテレビカメラ用レンズ。
【手続補正２】
【補正対象書類名】明細書
【補正対象項目名】０００８
【補正方法】変更
【補正の内容】
【０００８】
【課題を解決するための手段】
本発明は、上記課題を達成するために、以下のように構成したテレビカメラ用レンズを提供するものである。
本発明は、複数の機能を有するテレビカメラ用レンズであって、
前記複数の機能から選択された機能を動作させる操作部材と、
前記操作手段に動作させる機能を決定する為の機能設定スイッチと、を有し、  前記複数の機能を表示するための表示パネルを有することを特徴とする。
また、本発明は、ズームレンズと、
前記ズームレンズを電動駆動するためのズームスイッチを有し、
前記ズームスイッチの操作量と前記ズームレンズのスピードの関係を決定するパラメータを前記表示パネルに表示して前記機能設定スイッチの操作により選択可能であることを特徴とする。
また、本発明は、前記表示パネルは、前記操作部材と前記選択された機能の関係を表示することを特徴とする。
また、本発明は、レンズ本体部と前記レンズ本体に着脱自在なドライブユニットで構成され、前記レンズ本体部または前記ドライブユニットに前記表示パネルと前記選択設定スイッチが設けられていることを特徴とする。
また、本発明は、前記表示パネルと前記選択設定スイッチが、前記ドライブユニットの上面に設けられていることを特徴とする。
また、本発明は、前記表示パネルと前記選択設定スイッチが、前記ドライブユニットのカメラ側の側面に設けられていることを特徴とする。
また、本発明は、前記撮影光学系の光路途中に挿入及び退避可能な光学系を内蔵するエクステンダー手段の筐体に、前記表示パネルと前記選択設定スイッチが設けられていることを特徴とする。
また、本発明は、前記表示パネルが前記撮影光学系の光路途中に挿入及び退避可能な光学系を内蔵するエクステンダー手段の筐体に設けられ、前記選択スイッチが前記ドライブユニットに設けられていることを特徴とする。
また、本発明は、テレビカメラに着脱するためのマウント手段を備え、前記表示パネルと前記選択設定スイッチは該マウント手段の筐体に設けられていることを特徴とする。
本発明は、以上の構成を採ることにより、テレビレンズの撮影に関わる機能の設定状況を容易かつ瞬時に把握でき、さらに操作性に優れた機能の設定手段を併せ持つ、使い勝手の良いテレビレンズを提供することが可能となる。
【手続補正３】
【補正対象書類名】明細書
【補正対象項目名】００３７
【補正方法】変更
【補正の内容】
【００３７】
さらに、本願発明の実施態様として、例えば、以下のような構成を採ることができる。
〔実施態様１〕テレビカメラに着脱自在なテレビレンズにおいて、
前記レンズの撮影に関する各種の機能あるいはレンズ情報等を表示する表示手段と、該表示手段に表示されたレンズの撮影に関する各種の機能の選択あるいはレンズ情報の設定等を行う選択設定手段と、を有することを特徴とするテレビレンズ。
〔実施態様２〕前記レンズの撮影に関する各種の機能を作動させる複数の操作手段を有し、前記表示手段と前記選択設定手段により、前記複数の操作手段に前記レンズの撮影に関する各種の機能を任意に割り当て可能に構成されていることを特徴とする実施態様１に記載のテレビレンズ。
〔実施態様３〕前記レンズの撮影に関する各種の機能を作動させる複数の操作手段に対する前記各種の機能の割り当てを、無効とする設定が可能に構成されていることを特徴とする実施態様２に記載のテレビレンズ。
〔実施態様４〕前記テレビレンズは、ズームを電気駆動する操作部材を有し、前記表示手段と選択設定手段により前記操作部材の操作量とズームスピードの関係を決定するパラメータの設定が可能に構成されていることを特徴とする実施態様１〜３のいずれかに記載のテレビレンズ。
〔実施態様５〕前記表示手段は、前記複数の操作への前記レンズの撮影に関する各種の機能の割り当て内容、または前記設定パラメータの表示が可能に構成されていることを特徴とする実施態様２〜４のいずれかに記載のテレビレンズ。
〔実施態様６〕前記表示手段と前記選択設定手段が、手でホールドできるホールド面を有するドライブユニットの該ホールド面に設けられていることを特徴とする実施態様１〜５のいずれかに記載のテレビレンズ。
段を該マウント手段の筐体に設けることを特徴とするテレビレンズ。
〔実施態様７〕前記表示手段あるいは前記選択設定手段を覆うカバー手段を有し、前記表示手段の視認や前記選択設定手段の操作に際して、前記カバー手段を取り外して視認あるいは操作することを特徴とする実施態様１〜６のいずれかに記載のテレビレンズ。
〔実施態様８〕前記表示手段及び／または前記選択設定手段が、前記テレビレンズに対して着脱可能に構成されていることを特徴とする実施態様１〜７のいずれかに記載のテレビレンズ。
〔実施態様９〕前記表示手段及び／または前記選択設定手段が、機能設定装置内に設けられ、機能設定装置を前記テレビレンズに対して着脱可能に構成したことを特徴とする実施態様１〜７のいずれかに記載のテレビレンズ。